(57)【要約】【課題】簡便な構造で、脚部を安定して支持でき、また耐久性の高い木製の折り畳み式小机を提供すること。【解決手段】  木製の折り畳み式小机１は、天板７と、天板の左右両端側に回動可能に取り付けられる一対の略長方形板状の脚部３と、脚部３の前側の端面側に、軸方向を左右方向に沿わせ、前後方向に回動可能に取り付けられる板状の支持板５、を備える。支持板５は、折り畳み状態から立たせた脚部３に対向する位置に溝部１５を備える。机１の組み立て時、支持板５の溝部１５に脚部３の嵌合部３ｅが嵌合し、溝部１５における対向する面１５ａ、１５ａが嵌合部３ｅの左右両側の面３ｃ、３ｃを挟持し、脚部３の回動を規制して組み立て状態が維持される。【選択図】図３
0003132465.tif 000002
【実用新案登録請求の範囲】
【請求項１】
天板と、天板下面において左右方向で対向するように配設されるとともに、軸方向を前後方向に沿わせ、左右方向に回動可能に取り付けられる一対の略長方形板状の脚部とを備え、前記脚部を前記天板下面から鉛直方向に立たせた組み立て状態から、左右方向に回動させて前記天板下面に沿わせた折り畳み状態となる木製の折り畳み式小机において、
前記天板下面における前記脚部の前後方向の少なくとも一方の端面部側に、軸方向を左右方向に沿わせ、前後方向に回動可能に取り付けられる板状の支持板を備え、
前記支持板が、前記天板下面に沿わせた折り畳み状態から起した状態において、折り畳み状態から立たせた前記脚部に対向する位置に溝部を備え、前記脚部と前記支持板を折り畳み状態から起こした机の組み立て時、前記脚部における左右両側の面と前記端面部で囲まれる嵌合部が前記支持板の前記溝部に嵌合して、前記溝部の内周縁における対向する面により側面を挟持され、前記脚部の回動が規制されて組み立て状態が維持されることを特徴とする折り畳み式小机。
【請求項２】
請求項１に記載の折り畳み式小机において、前記支持板が、前記溝部を左右の前記脚部の前記嵌合部に対応する二箇所に配設させた一枚板状であることを特徴とする折り畳み式小机。
【請求項３】
請求項１または請求項２に記載の折り畳み式小机において、前記支持板に装飾が施されていることを特徴とする折り畳み式小机。
【請求項４】
請求項１乃至３のいずれかに記載の折り畳み式小机において、
前記脚部が、組み立て後の前記天板への下方への荷重作用時に、前記支持板の底面部に当接して、前記支持板の折り畳み方向への回動を規制する支持面を上面に有した突出部を、備えていることを特徴とする折り畳み式小机。
【請求項５】
請求項４に記載の折り畳み式小机において、
前記脚部が、
略同一厚さの板状に形成されて、
前記天板への連結部近傍の端面側に、机の組み立て時に前記支持板が嵌合可能に略四角形状に切り欠かれて、内周縁の前後方向の端面側に前記嵌合部を配設させた凹部を備え、
前記突出部が、該凹部の下方において、前後方向に沿って前記支持板側へ突出して形成されていることを特徴とする折り畳み式小机。
【考案の詳細な説明】
【技術分野】
【０００１】
本考案は木製の折り畳み式小机に関する。
【背景技術】
【０００２】
従来、仏壇脇に置いて使用する供物台、サイドテーブル、又は文机として使用される木製の小型の机で、脚を折り畳める型式のものには、図８に示すような構成のものがある。図８に示す木製の折り畳み式小机１０１は、天板１０７の下面（机１０１の底面を示す図８では上面となる）における左右両端側に、一対の略長方形板状の脚部１０３が相互に対向するように配置され、内側に回動して折り畳み可能に、天板１０７に連結されている。また、脚部１０３を引き起こして机１０１を組み立てる際に、脚部１０３の起立状態を維持するための一対の支持板１０５が配設されている。この支持板１０５は、対の脚部１０３の配置方向と直交するように、天板１０７の前後両縁側に沿って配置され、脚部１０３と同様、内側に回動して折り畳み可能に、天板に連結されている。机使用時には、脚部１０３を引き起こすのと同時に、支持板１０５を引き起こして脚部１０３の間に挟むようにし、脚部１０３の折り畳み状態への回動を規制して、机１０１の組み立て状態を維持していた。
【考案の開示】
【考案が解決しようとする課題】
【０００３】
しかしながら、上記のような構成の支持板を有する折り畳み式小机では、支持板について高い寸法精度が要求されるという不都合があった。つまり、支持板の巾寸法が脚部間の間隙よりも大きい場合には、脚部の間に入らないか、又はきつすぎて脚部の内側の面に擦れて傷をつけてしまう。逆に、支持板の巾寸法が脚部間の間隙に比べ小さい場合には、脚部がしっかり支持されず、机がガタついてしまうことがある。
【０００４】
また、上記のように木製の板状の脚部を二枚備える折り畳み式小机において、支持板が机の前後両側に配設される構造では、支持板の寸法が正確に合っていない場合、脚部が前後両側において内側から外向きに押圧されるため、脚部にひびや割れを生じさせることがある。このひびや割れは、使用中のみならず、製造中にも発生することがあるため、製造中の不良率を高める原因ともなっていた。
【０００５】
これらの問題点に鑑み、本考案は、簡便な構造で、脚部を安定して支持でき、また耐久性の高い木製の折り畳み式小机を提供することを目的とする。
【０００６】
なお、出願人の知る限りにおいては、記載すべき先行技術文献情報は無い。
【課題を解決するための手段】
【０００７】
本考案に係る木製の折り畳み式小机は、天板と、天板下面において左右方向で対向するように配設されるとともに、軸方向を前後方向に沿わせ、左右方向に回動可能に取り付けられる一対の略長方形板状の脚部とを備えた、脚部を天板下面から鉛直方向に立たせた組み立て状態から、左右方向に回動させて天板下面に沿わせた折り畳み状態とすることができる木製の折り畳み式小机において、天板下面における脚部の前後方向の少なくとも一方の端面側に、軸方向を左右方向に沿わせ、前後方向に回動可能に取り付けられる板状の支持板を備え、支持板が、天板下面に沿わせた折り畳み状態から起した状態において、折り畳み状態から立たせた脚部に対向する位置に溝部を備え、脚部と支持板を折り畳み状態から起こした机の組み立て時、脚部における左右両側の面と前端面部で囲まれる嵌合部が支持板の溝部に嵌合して、溝部の内周縁における対向する面により側面を挟持され、脚部の回動が規制されて組み立て状態が維持されることを特徴とする。
【０００８】
このような構成の折り畳み式小机では、組み立て時、支持板の各溝部に脚部の嵌合部が嵌合し、溝部の内周縁における左右方向で対向する面が嵌合部の左右両側の面を挟持して、脚部の折り畳み方向への回動を規制するため、机の組み立て状態が安定して維持される。このため、支持板の左右方向の長さ寸法を両脚部間の間隙寸法に正確に合わせる必要が無くなり、製造が容易となる。また、支持板の寸法が合わないことによる、脚部の表面の傷つきや、使用時のガタつきの問題も解消できる。また、前述した従来の脚部の支持構造と異なり、脚部の内側に、両脚部を押し広げるような支持板の力が加わることがないので、脚部にひびや割れが発生しにくい。
【０００９】
したがって、本考案の折り畳み式小机は、簡便な構造で、脚部を安定して支持でき、また耐久性が高い。
【００１０】
上述の折り畳み式小机においては、支持板が、溝部を左右の脚部に対応する二箇所に配設させた一枚板状であることが望ましい。
【００１１】
このような構成であれば、左右の脚部に対応した二箇所に溝部を有する一枚状の支持板を使用すれば脚部を安定して支持することができ、左右の脚部について別々の支持板を設ける場合に比べ、蝶番等の部材の数量や取付工数を減らすことができる。また、脚部の例えば前後方向の片側だけに支持板を配置すれば、脚部が前後両側において支持板に挟持される場合に比し、木製板状の脚部に力が加えられることによるひびや割れを一層生じ難くすることができる。
【００１２】
上述の折り畳み式小机において、支持板に、描画や彩色、彫刻等の装飾を施せば、支持板が装飾部の役割も果たすため、小机の意匠性を向上させることができる。
【００１３】
また、上述の折り畳み式小机の脚部が、組み立て後の天板への下方への荷重作用時に、支持板の底面部に当接して、支持板の折り畳み方向への回動を規制する支持面を上面に有した突出部を備える構成とすれば、机の組み立て時、支持板の溝部が脚部を嵌合させて挟持する一方、天板自体の重量や、天板上に置かれる物の重量により、支持板の底面部が脚部の突出部の支持面に押圧され、支持されるため、より一層安定して机の組み立て状態を維持することができる。つまり、支持板は天板との連結部（ヒンジ部）を回転中心として外側に回動可能な構成であるところ、ヒンジ部から底面部までの距離、すなわち机の組み立て時の、天板の下面と突出部の支持面間の間隙の寸法よりも、支持板の側面視における、ヒンジ部から支持板の下内側の角までの距離（支持板の側面図における対角線）の方が長い。この構成では、支持板が外側に回動して脚部から外れようとする動きが、天板の重量により支持板の底面が脚部の突出部の支持面に押圧されていることから、阻まれる。言い換えれば、支持板におけるヒンジ部から、下内側の角までの回転半径がヒンジ部と脚部の突出部の上面の間の間隙より長いため、支持板の外側への回動が規制される。したがって、机の使用中に脚部が折り畳まれて机が倒れるのを防ぐことができ、机の組み立て状態がガタつきなく安定して維持される。
【００１４】
脚部が突出部を備える場合には、脚部が、略同一厚さの板状に形成されて、天板への連結部近傍の端面側に、机の組み立て時に支持板が嵌合可能に略四角形状に切り欠かれて、内周縁の前後方向の端面側に嵌合部を配設させた凹部を備え、また、突出部が、凹部の下方において、前後方向に沿って支持板側へ突出して形成されていることが望ましい。このような構成では、脚部を板材から切り出して、支持板が配置される側の上側の角を切り落として凹部とすればその下方に突出部を設けることができるので、脚部自体の製造が容易となる。
【考案を実施するための最良の形態】
【００１５】
以下に本考案の一実施形態を図面に基づいて説明する。
【００１６】
図１に示す本考案の一実施形態である木製の折り畳み式小机１は、略長方形板状の天板７、一対の略長方形板状の脚部３及び略長方形板状の支持板５からなり、脚部３を、図１に示す天板７の下面７ａから鉛直に立たせた組み立て状態から、図２に示すように、天板７の下面７ａに沿わせるように折り畳むことができるものである。
【００１７】
なお、本明細書における上下方向とは、特に断らない限り、机１の組み立て後の使用時の状態を基準とする。また、前後方向および左右方向とは、支持板５の配置位置を前とした場合の前後方向および左右方向をいう。
【００１８】
同形状の一対の脚部３は、略同一厚さの略長方形板状に形成されて、天板７の下面７ａにおいて、左右方向で対向するように天板７に回動可能に取り付けられている。本実施形態では、図１および３に示すように、脚部３はそれぞれ、天板７の下面７ａの左右両側において、前後方向に沿うように固着された一対の桟木９に対し、蝶番１１を利用して二箇所で連結されており、左右方向に沿って、内側に回動し、折り畳み状態となる構成である。脚部３は、本実施形態では、図５に示すように天板７（桟木９）への連結部近傍である、脚部３の元部３ａにおける机1の前側の角が略四角形状に切り欠かれたように凹んだ形状としており、凹んだ部分を凹部４、凹部４より下方を脚部３の突出部１０としている。凹部４における、脚部３の左右の面３ｃと前端面３ｄで囲まれる部分は、後述するように、支持板５の溝部１５に嵌合する嵌合部３ｅを構成する。突出部１０の上面は、後述するように、組み立て時に支持板５の底面部５ａに当接、支持する支持面１０ａを備える。なお、図例の脚部３には、装飾のため、また、机１の軽量化のための模様がくり抜かれている。
【００１９】
支持板５は、左右方向に延びた略長方形板状に形成され、脚部３の前側の端面側において、天板７の下面７ａに回動可能に取り付けられている。具体的には、本実施形態では、支持板５は、天板７の下面７ａにおける、凹部４のためにやや前後方向の幅の狭くなった脚部３の元部３ａの前端面３ｄ側に、机１の左右方向に沿った二箇所で蝶番１３（図１、図６）を利用して連結されている。支持板５は、図６に示すようにこの連結箇所をヒンジ部１４とし、ヒンジ部１４を回転中心として、机の組み立て時の凹部４に嵌合した状態から、前後方向に沿って外側に回動し、図２に示す折り畳み状態となる構成である。支持板５の左右両端側には、机１の組み立て時に脚部３の元部３ａにおける嵌合部３ｅを嵌合させるための溝部１５が形成されている。溝部１５は、机１の組み立て時、脚部３の元部３ａにおける嵌合部３ｅをはめ込み可能に、嵌合部３ｅの板厚より僅かに幅広に設定され、脚部３に対向する位置に形成されている。支持板５における溝部１５の配設部位の上下方向の寸法は、組み立て時に支持板５が脚部３の凹部４に嵌り込み、支持板５の溝部１５に脚部３の元部３ａにおける嵌合部３ｅが嵌合して、支持板５の底面部５ａが、脚部３の突出部１０の上面に形成される支持面１０ａに当接、支持されるように、凹部４の上下方向の寸法と略同じに設定されている。支持板５には、装飾のため、彫刻が施されている。
【００２０】
なお、図１および３に見える、符合２１で示す部材は、脚部３を内側に回動させ、支持板５を外側に回動させて小机１を折り畳んだ際に、各脚部３の先端部（下端部）３ｂを支持するための桟木である。
【００２１】
図２に示す折り畳み状態から机１を組み立てるには、まず、図２の矢印に示すように脚部３を左右方向に回動させて起こす。そして、支持板５を図３の矢印に示すように前後方向に回動させて起こすと、支持板５が脚部３の凹部４に嵌り込み、支持板５の左右両端側に形成された各溝部１５に、左右の脚部３の元部３ａにおける嵌合部３ｅが嵌合する。
【００２２】
本実施形態における折り畳み式小机１では、支持板５が脚部３の前後方向の少なくとも一方の端面側である前端面３ｄ側において、前後方向に沿って回動可能に天板７に取り付けられている。支持板５は、組み立て時に脚部３に対向する位置に脚部３の嵌合部３ｅを嵌合させるための溝部１５を備えている。組み立て時には、図７に示すように支持板５の各溝部１５に脚部３の元部３ａにおける嵌合部３ｅが嵌合し、各溝部１５の内周縁における左右方向で対向する面１５ａが、各脚部３の元部３ａにおける左右両側の面３ｃを挟持し、脚部３の折り畳み方向への回動を規制するため、机１の組み立て状態が安定して維持される。このような構成では、支持板５の左右方向の長さ寸法を両脚部３の間の間隙寸法に正確に合わせる必要は無く、製造が容易となる。また、支持板５の寸法が合わないことによる、脚部３の表面の傷つきや、使用時のガタつきが起こらない。また、従来のように、各脚部１０３の間の間隙に、間隙寸法に合わせて形成した支持板１０５を挟むことにより脚部１０３の折り畳み状態への回動を規制する構成と異なり、脚部３の内側に、両脚部３を押し広げるような力が加わることがないので、脚部３にひびや割れが発生しにくい。
【００２３】
したがって、本実施形態における折り畳み式小机１は、簡便な構造で、脚部を安定して支持でき、また耐久性が高い。
【００２４】
なお、机１を折り畳む際には、まず支持板５を外側に回動させて折り畳み、脚部３の溝部１５への嵌合状態を解除する。そして、各脚部３を内側に回動させて折り畳み、桟木２１上に脚部３の先端部３ｂを置けばよい。
【００２５】
実施形態の折り畳み式小机１では、支持板５が、左右の脚部３を嵌合させて、脚部３の組み立て状態を維持するための溝部１５を左右両端側に備えた一枚状としている。このような構成では、支持板５を一枚のみ使用するだけで両脚部３を安定して支持することができ、各々の脚部３について別々の支持板を設ける場合に比べ、蝶番等の部材の数量や取付工数を減らすことができる。また、支持板５が脚部３の前端面３ｄ側のみに配設されているため、支持板５が机１の前後両側に設けられて、前後両側において脚部３、３を挟持する場合に比し、木製板状の脚部３に力が加えられることによるひびや割れを一層生じ難くすることができる。このような効果を考慮しないならば、同様な構成の支持板５を、脚部３の後端面側にも配置し、前後両側において、脚部３が支持板５に挟持され、組み立て状態を維持される構成としてもよい。
【００２６】
また、折り畳み式小机１における支持板５は、単なる長方形板状ではなく、装飾（実施形態では、彫刻）が施されているため、支持板５が装飾部の役割を果たし、小机１の意匠性を向上させることができる。この装飾は、彫刻によるものに限らず、仏壇脇で使用する供物台として使用する場合には、仏壇に合う柄の装飾、サイドテーブルや、文机として使用する場合には、机を置く部屋や場所にマッチした、描画や彩色、彫刻を施してもよい。
【００２７】
また、実施形態の折り畳み式小机１では、組み立て時、脚部３の元部３ａにおける嵌合部３ｅが支持板５の溝部１５に嵌合して挟持される一方、支持板５の底面部５ａが脚部３の突出部１０の上面に形成された支持面１０ａにより、当接、支持されることにより、脚部３の折り畳み方向への回動が規制されて、机１の組み立て状態が維持される構造である。
【００２８】
このような構成では、天板上に何も置いていない場合も、また、天板上に物が置かれる場合は尚のこと、天板自体の重量及び載置した物の重量により、支持板５の底面部５ａが脚部３の突出部１０の支持面１０ａに押圧され、支持されるため、より一層安定して小机１の組み立て状態を維持することができる。つまり、支持板５は天板７との連結部（ヒンジ部）１４を回転中心として外側に回動可能な構成であるところ、図６に示すように、ヒンジ部１４から底面部５ａまでの距離、すなわち、机１の組み立て時の脚部３を起こした状態における、天板７の下面７ａと突出部１０の支持面１０ａ間の間隙の寸法Ｃよりも、支持板５の側面視における、ヒンジ部１４から支持板５の下内側の角５ｂまでの距離（支持板５の側面図における対角線）Ｒの方が長い。この構成では、天板等の重量による下方への荷重作用時、支持板５が外側に回動して脚部３から外れようとする動きが、支持板５の底面５ａが突出部１０の支持面１０ａに押圧されていることにより、阻まれる。言い換えれば、支持板５におけるヒンジ部１４から、下内側の角５ｂまでの対角線すなわち回転半径Ｒがヒンジ部１４と突出部の支持面１０ａの間の間隙より長いため、支持板５の外側への回動が規制される。したがって、机１の使用中に脚部３が折り畳まれて机１が倒れるのを防ぐことができ、机１の組み立て状態がガタつきなく安定して維持される。
【００２９】
上述のような効果を考慮しないのであれば、脚部３は必ずしも突出部１０を備えた構成としなくともよい。例えば、脚部３が凹部４及び突出部１０を備えない長方形板状に形成された場合であっても、支持板５が溝部１５を備えていれば、脚部３の元部３ａが溝部５により嵌合、挟持されて回動を規制されるため、机１の組み立て状態を維持することができる。また、本実施形態では、支持板５は脚部３の前側の端面側に取り付けられているが、必ずしも脚部３の前端又は後端側に取り付けられる必要は無く、例えば、脚部３が元部３ａの上縁部の中ほどを切り欠かれて上方に開口したような形状である場合は、切り欠かれた部分の前後方向の端面側に支持板を配置し、組み立て時、その切り欠かれた部分の周縁の脚部の部分を支持板の溝部に嵌合させるような構成としてもよい。
【００３０】
本実施形態では、脚部３は図１から３及び図５に示すように、略同一厚さの板状に形成されて、天板７への連結部近傍の前側の角を略四角形状に切り欠かれて机の組み立て時に支持板５が嵌りこみ、また内周縁の端面側３ｄに嵌合部３ｅを備えた凹部４とし、その下方を突出部１０としている。この構成では、脚部３を板材から切り出して、支持板５が配置される側の上側の角を切り落として凹部４とすればその下方に突出部１０を設けることができるため、脚部３自体の製造が容易となる。
【００３１】
なお、本実施形態では、支持板５は天板７に対し、蝶番１３を利用して取り付けられているが、支持板５の天板７に対する取付方法はこれに限られるものではない。支持板５が、脚部３を嵌合させる溝部５を左右両端側に備えて、前後方向に回動可能に脚部３の前後方向における少なくとも一方の端面側に軸方向を左右方向に沿わせて取り付けられていれば、例えば、支持板を、左右両端の上部に軸部を備えた構成とし、一方、天板側に、その軸を受ける部分を設けて、支持板が前後方向に回動する構成としてもよい。
【図面の簡単な説明】
【００３２】
【図１】折り畳み式小机の組み立て状態を示す裏側から見た斜視図である。
【図２】折り畳み式小机の折り畳み状態を示す斜視図である。
【図３】脚部を起こした状態を示す折り畳み式小机の斜視図である。
【図４】支持板の裏面側を示す斜視図である。
【図５】脚部の斜視図である。
【図６】図１のIV部分の拡大側面図である。
【図７】図６のII−II部分の断面図である。
【図８】従来の折り畳み式小机の図である。
【符号の説明】
【００３３】
１  ・・・    折り畳み式小机
３  ・・・    脚部
３ｃ  ・・・  脚部の左右の面
３ｅ  ・・・  嵌合部
５  ・・・    支持板
７  ・・・    天板
１５  ・・・    溝部
１５ａ  ・・・  溝部の対向面
【図１】
0003132465.tif 000003
【図２】
0003132465.tif 000004
【図３】
0003132465.tif 000005
【図４】
0003132465.tif 000006
【図５】
0003132465.tif 000007
【図６】
0003132465.tif 000008
【図７】
0003132465.tif 000009
【図８】
0003132465.tif 000010